(57)【要約】【課題】扉を過度に押し込んでも、扉の開閉を検知するスイッチ３０が破損することを抑制できる構成を提供する。【解決手段】移動部材４０は、開閉自在に設けられる第１扉及び第２扉が閉じられた場合に、第１扉の押圧部１１と第２扉の押圧部２１に押圧されることで上方に移動して、スイッチ３０を動作させる。移動部材４０は、移動によりスイッチ３０を動作させた位置で、第１扉と第２扉の少なくとも何れかの扉の押圧部１１、２１が、更に扉が閉じられる矢印Ｅ１、Ｆ１方向に移動しても、上方に更に移動せずに押圧部１１、２１の矢印Ｅ１、Ｆ１への移動を許容する【選択図】図４
2019016566.tif 000002
【特許請求の範囲】
【請求項１】
開閉自在に設けられる第１カバー部材及び第２カバー部材が閉じられた場合に、前記第１カバー部材の第１押圧部と前記第２カバー部材の第２押圧部との両押圧部に押圧されることで第１方向に移動して、スイッチを動作させる移動部材を備え、
前記移動部材は、移動により前記スイッチを動作させた位置で、前記第１押圧部と前記第２押圧部の少なくとも何れかの押圧部が、更に前記カバー部材が閉じられる第２方向に移動しても、前記第１方向に更に移動せずに前記押圧部の前記第２方向への移動を許容する、
ことを特徴とするスイッチ機構。
【請求項２】
前記移動部材は、前記第１押圧部に押圧されることで、前記第２方向とは異なる第３方向に移動する第１移動部と、前記第２押圧部に押圧されることで、前記第２方向とは異なる第４方向に移動する第２移動部と、を有し、
前記第１移動部が前記第３方向に移動した状態で前記第２移動部が前記第４方向に移動した場合、及び、前記第２移動部が前記第４方向に移動した状態で前記第１移動部が前記第３方向に移動した場合に、前記移動部材が前記第１方向に移動する、
ことを特徴とする、請求項１に記載のスイッチ機構。
【請求項３】
前記移動部材は、回動軸を中心に回動可能であり、
前記第３方向と前記第４方向は、前記回動軸を中心とする回動方向で、且つ、互いに逆方向である、
ことを特徴とする、請求項２に記載のスイッチ機構。
【請求項４】
前記第１移動部と前記第２移動部は、一体に形成されている、
ことを特徴とする、請求項３に記載のスイッチ機構。
【請求項５】
前記第１移動部と前記第２移動部は、互いに別体で、それぞれ前記回動軸を中心に回動可能に支持され、
前記第１移動部の前記第２移動部に対する前記第３方向への移動量を規制する第１規制部と、
前記第２移動部の前記第１移動部に対する前記第４方向への移動量を規制する第２規制部と、を備えた、
ことを特徴とする、請求項３に記載のスイッチ機構。
【請求項６】
前記移動部材を前記回動軸を中心に回動可能に支持し、且つ、前記移動部材を前記第１方向に移動可能に支持する支持手段を備えた、
ことを特徴とする、請求項３乃至５のいずれか１項に記載のスイッチ機構。
【請求項７】
前記スイッチは、前記移動部材の上方に位置し、
前記支持手段は、前記移動部材が前記スイッチを動作させる位置から、前記移動部材の自重により、前記第１押圧部及び前記第２押圧部が前記第１移動部及び前記第２移動部を押圧可能な位置に、前記移動部材を移動可能に支持する、
ことを特徴とする、請求項６に記載のスイッチ機構。
【請求項８】
前記移動部材は、本体部と、前記本体部から突出するように設けられ、前記移動部材が前記第１方向に移動した場合に前記スイッチを動作させ、前記移動部材が前記第１方向に移動せずに回動した場合には前記スイッチを動作させないスイッチ動作部と、を有する、
ことを特徴とする、請求項３乃至７のいずれか１項に記載のスイッチ機構。
【請求項９】
記録媒体に画像を形成する画像形成部と、
請求項１乃至８のいずれか１項に記載のスイッチ機構と、
を備える、
ことを特徴とする画像形成装置。
【請求項１０】
前記第１押圧部及び前記第２押圧部は、前記第２方向に移動した場合に前記移動部材と当接して前記移動部材を所定位置に移動させる第１当接部と、前記押圧部が前記第２方向に所定量以上移動した場合に、前記移動部材をそれ以上移動させずに、且つ、前記移動部材を前記所定位置に維持させる第２当接部とを有する、
ことを特徴とする、請求項９に記載の画像形成装置。
【請求項１１】
記録媒体に画像を形成する画像形成部と、
それぞれ開閉自在に設けられた第１カバー部材及び第２カバー部材と、
回動軸と、前記回動軸を挟んで両側に設けられた第１移動部と第２移動部とを有し、前記回動軸を中心に回動可能で、且つ、所定方向に移動可能な移動部材と、
前記移動部材の前記所定方向側に配置され、前記移動部材が前記所定方向に移動することで動作するスイッチと、
前記第１カバー部材に設けられ、前記第１カバー部材が閉じられる動作に伴って第１方向に移動し、前記第１移動部を第２方向に押圧可能な第１押圧部と、
前記第２カバー部材に設けられ、前記第２カバー部材が閉じられる動作に伴って第３方向に移動し、前記第２移動部を第４方向に押圧可能な第２押圧部と、
前記移動部材を前記回動軸を中心に回動可能に支持すると共に、前記第１移動部が前記第１押圧部に押圧されると共に前記第２移動部が前記第２押圧部に押圧された場合に、前記移動部材が前記所定方向に移動するように前記移動部材を支持する支持手段と、を備え、
前記第１押圧部は、前記第１移動部と当接して、前記第１押圧部が前記第１方向に移動するほど前記第１移動部を前記第２方向に移動させる第１可動部と、前記第１可動部の前記第１方向上流側に設けられ、前記第１移動部と当接して、前記第１押圧部が前記第１方向に移動しても前記第１移動部を移動させない第１非可動部とを有し、
前記第２押圧部は、前記第２移動部と当接して、前記第２押圧部が前記第３方向に移動するほど前記第２移動部を前記第４方向に移動させる第２可動部と、前記第２可動部の前記第３方向上流側に設けられ、前記第２移動部と当接して、前記第２押圧部が前記第３方向に移動しても前記第２移動部を移動させない第２非可動部とを有する、
ことを特徴とする画像形成装置。
【発明の詳細な説明】
【技術分野】
【０００１】
本発明は、複数のカバー部材が閉じられることでスイッチを動作させるスイッチ機構に関する。
【背景技術】
【０００２】
複写機などの画像形成装置は、装置本体にカバー部材としての種々の扉が設けられている。これらの扉は、例えば、サービスマンが画像形成装置のメンテナンスや補修を行ったり、ユーザがジャム処理やトナー補給したりするときに開閉される。一方、扉の閉じ忘れなどを低コストで防止するために、２つの扉の開閉を１つのスイッチで検知する構成が従来から知られている。
【０００３】
特許文献１には、一方の扉が閉められた時に一方の扉に設けられた押圧部がスイッチ本体を移動させることで、他方の扉が閉められた時に他方の扉に設けられた押圧部により移動後のスイッチをＯＮにできる構成が記載されている。
【０００４】
また、特許文献２には、２つの扉のうちの何れか一方のみを閉じた場合には、アーム部材が回動してスイッチを動作させることがなく、両方の扉を閉じた場合に初めてアーム部材がスライド移動してスイッチを動作させる構成が記載されている。
【先行技術文献】
【特許文献】
【０００５】
【特許文献１】特開２００２−９１２５０号公報
【特許文献１】特開２００５−１１１８９６号公報
【発明の概要】
【発明が解決しようとする課題】
【０００６】
しかしながら、上述の特許文献１、２に記載の構成の場合、ユーザが誤って、両方の扉を閉めた状態から更に何れかの扉（第１カバー部材又は第２カバー部材）を閉める方向に過度に押し込んだ場合、電気部品であるスイッチが過度に押されて破損するおそれがある。
【０００７】
即ち、特許文献１に記載の構成の場合、一方の扉を過度に押し込むとスイッチ本体が移動してスイッチが他方の扉の押圧部に押し付けられてしまう。逆に、他方の扉を過度に押し込んだ場合、一方の扉の押圧部により移動が規制されたスイッチ本体のスイッチに対して他方の扉の押圧部が押し付けられてしまう。
【０００８】
また、特許文献２に記載の構成の場合、何れかの扉を過度に押し込むとアーム部材が更にスライド移動してスイッチに押し付けられてしまう。そして、何れの文献に記載の構成の場合もスイッチに大きな負荷が作用してスイッチが破損するおそれがある。
【０００９】
本発明は、カバー部材を過度に押し込まれても、スイッチが破損することを抑制できる構成を提供することを目的とする。
【課題を解決するための手段】
【００１０】
本発明は、開閉自在に設けられる第１カバー部材及び第２カバー部材が閉じられた場合に、前記第１カバー部材の第１押圧部と前記第２カバー部材の第２押圧部との両押圧部に押圧されることで第１方向に移動して、スイッチを動作させる移動部材を備え、前記移動部材は、移動により前記スイッチを動作させた位置で、前記第１押圧部と前記第２押圧部の少なくとも何れかの押圧部が、更に前記カバー部材が閉じられる第２方向に移動しても、前記第１方向に更に移動せずに前記押圧部の前記第２方向への移動を許容することを特徴とするスイッチ機構にある。
【発明の効果】
【００１１】
本発明によれば、カバー部材を過度に押し込まれても、スイッチが破損することを抑制できる。
【図面の簡単な説明】
【００１２】
【図１】第１の実施形態に係る第１扉及び第２扉を開いた状態で示す画像形成装置の斜視図。
【図２】装置本体内の概略構成を示す模式図。
【図３】第１の実施形態に係る画像形成装置の制御ブロック図。
【図４】第１の実施形態に係るスイッチ機構の、（Ａ）正面図、（Ｂ）斜視図。
【図５】第１の実施形態に係るスイッチ機構で第１扉が閉まっている状態の、（Ａ）正面図、（Ｂ）斜視図。
【図６】第１の実施形態に係るスイッチ機構で第２扉が閉まっている状態の、（Ａ）正面図、（Ｂ）斜視図。
【図７】第１の実施形態に係るスイッチ機構で両方の扉が閉まっている状態の、（Ａ）正面図、（Ｂ）斜視図。
【図８】第２の実施形態に係るスイッチ機構の、（Ａ）正面図、（Ｂ）斜視図。
【図９】第２の実施形態に係るスイッチ機構で第１扉が閉まっている状態の、（Ａ）正面図、（Ｂ）斜視図。
【図１０】第２の実施形態に係るスイッチ機構で第２扉が閉まっている状態の、（Ａ）正面図、（Ｂ）斜視図。
【図１１】第２の実施形態に係るスイッチ機構で両方の扉が閉まっている状態の、（Ａ）正面図、（Ｂ）斜視図。
【発明を実施するための形態】
【００１３】
＜第１の実施形態＞
第１の実施形態について、図１乃至７を用いて説明する。まず、本実施形態の画像形成装置の概略構成について、図１乃至３を用いて説明する。
【００１４】
［画像形成装置］
図１に示すように、画像形成装置１００は、装置本体１０１と、装置本体１０１の上部に配置された画像読取部１０２と、装置本体１０１の下部に配置されたカセット１０３とから構成される。このような画像形成装置１００は、複写機の機能とファクシミリの機能とを併せ持たせて構成されている。また、画像読取部１０２で読み取られた原稿の画像情報（光信号）を電気信号に変換して作像を行う、いわゆるデジタル複合機である。
【００１５】
装置本体１０１の上部で画像読取部１０２の下側には、装置本体内で画像形成されたシート（記録媒体）が排出される排出トレイ１０６が形成されている。
【００１６】
装置本体１０１の内部には、図２に示すように、電子写真方式によるプリントエンジンを配置している。即ち、装置本体１０１内には、搬送されるシートに画像を形成する画像形成部１５０と、画像形成部１５０でシート上に形成された画像をシートに定着する定着装置１５１などが内蔵されている。
【００１７】
画像形成部１５０は、例えば、感光ドラム、帯電部材、露光装置、現像装置、転写装置などを有する。像担持体としての感光ドラムの表面は帯電部材により所定の電位に帯電される。そして、画像読取部１０２で読み取った画像情報に基づいて、レーザなどの露光装置により感光ドラム表面に静電潜像が形成される。静電潜像は、現像装置によりトナーで現像され、トナーで現像されたトナー像は、転写装置によって、搬送路１５２を介して搬送されてきたシートに転写される。トナー像が転写されたシートは、定着装置１５１で加熱されることによりトナー像が定着される。トナー像が定着されたシートは、搬送路１５３を介して、上述の排出トレイ１０６上に排出される。
【００１８】
上述のように画像形成部１５０に搬送されるシートは、カセット１０３から供給される。カセット１０３は、装置手前側に引き出してシートの補給を行うようにした、フロントローディング・タイプである。そのため、カセット前面の中央部に引き出し用の把手が設けられている。
【００１９】
また、図１に示すように、画像形成装置１００の前側には、サービスマンやユーザなどの操作者が画像形成装置１００を操作する操作部１０４が設けられている。操作部１０４には、画像形成装置１００の状態などを表示可能な表示部１０５が設けられている。なお、表示部１０５は、操作者が画像形成装置１００の各種設定の操作が可能となっている。
【００２０】
図３に示すように、画像形成装置１００は、画像形成部１５０を含む画像形成装置全体の制御を行う制御部２００を備えている。制御部２００は、ＣＰＵ（Ｃｅｎｔｒａｌ Ｐｒｏｃｅｓｓｉｎｇ Ｕｎｉｔ）２０１、ＲＡＭ（Ｒａｎｄｏｍ Ａｃｃｅｓｓ Ｍｅｍｏｒｙ）２０２、ＲＯＭ（Ｒｅａｄ Ｏｎｌｙ Ｍｅｍｏｒｙ）２０３を有している。ＣＰＵ２０１は、ＲＯＭ２０３に格納された制御手順に対応するプログラム読み出しながら各部の制御を行う。また、ＲＡＭ２０２には、作業用データや入力データが格納されており、ＣＰＵ２０１は、前述のプログラム等に基づいてＲＡＭに収納されたデータを参照して制御を行う。
【００２１】
このように構成される画像形成装置１００は、メンテナンス、ジャム処理、トナーカートリッジの交換などのために、操作者が装置本体１０１内にアクセスできるように、複数の扉を有する。本実施形態では、装置本体１０１の左側面に設けられた第１カバー部材としての第１扉１０と、装置本体１０１の前面に設けられた第２カバー部材としての第２扉２０とを有する。なお、装置本体１０１の前面とは、上述の操作部１０４が設けられた側の面であり、装置本体１０１の背面側を後とする。また、装置本体１０１の左右は、装置本体１０１を前面から見た場合の左右とする。
【００２２】
第１扉１０及び第２扉２０は、それぞれ装置本体１０１に開閉自在に設けられ、上述のようなメンテナンスやジャム処理などを行う場合に、図１に示すように開放する。具体的には、第１扉１０は、装置本体１０１の左側面後方に設けられたヒンジにより装置本体１０１の左方向に回動する。第２扉２０は、装置本体１０１の前面下方に設けられたヒンジにより装置本体１０１の下方を中心に回動する。なお、第１扉と第２扉との位置関係は、逆であっても良いし、回動する方向も適宜設定可能である。
【００２３】
そして、これら第１扉１０と第２扉２０との何れかが開放された場合には、装置本体内の画像形成部１５０の帯電部材や現像装置、定着装置１５１などの電気部品に対する通電が遮断される。一方、第１扉１０と第２扉２０の何れもが閉まっている場合には、電気部品に対して通電可能としている。
【００２４】
このために本実施形態では、第１扉１０と第２扉２０との開閉状態を検知可能なスイッチ３０を備えている。本実施形態では、第１扉１０と第２扉２０の開閉状態の検知を１個のスイッチ３０により行うようにしている。そして、このスイッチ３０により何れかの扉が開いたことを検知した場合には、電気部品に対する通電が遮断される。図３に示すように、スイッチ３０の信号は制御部２００に送られ、制御部２００のＣＰＵ２０１は、スイッチ３０の状態に応じて、第１扉１０と第２扉２０の少なくとも何れかが開いている、或いは、第１扉１０と第２扉２０の両方が閉じていることを検知可能である。扉の開閉状態は、操作部１０４の表示部１０５に表示可能である。
【００２５】
また、第１扉１０と第２扉２０には、図１に示すように、それぞれ押圧部１１、２１が設けられている。第１押圧部としての押圧部１１は、第１扉１０のヒンジと反対側の先端寄りに、第１扉１０から突出するように設けられている。第２押圧部としての押圧部２１は、第２扉２０のヒンジと反対側の先端寄りに、第２扉２０から突出するように設けられている。押圧部１１、２１の突出方向は、第１扉１０及び第２扉２０が閉まった状態で、それぞれ装置本体１０１内に向けて突出する方向である。このような押圧部１１、２１は、次述するように、第１扉１０及び第２扉２０の開閉時に、装置本体内に設けられたスイッチ機構６０に作用して、スイッチ３０を動作させる。
【００２６】
［スイッチ及びスイッチ機構］
次に、スイッチ３０及びスイッチ機構６０について、図４乃至７を用いて説明する。上述のように、スイッチ３０は、２つの扉に対して１個設けられている。このため、スイッチ機構６０により２つの扉の開閉状態をスイッチ３０により検知可能としている。
【００２７】
スイッチ３０は、装置本体１０１内の、第１扉１０と第２扉２０を開放したときにできる２つの開口部の間（図１参照）で、後述する移動部材４０の上側（所定方向側）に配置され、移動部材４０が上方（所定方向）に移動することで動作する。このようなスイッチ３０は、スイッチ本体３１と、スイッチ本体３１に対して回動可能な可動部３２とを有する。可動部３２は、スイッチ本体３１から離れる方向（図４（Ａ）の下方）に付勢されており、可動部３２を付勢方向と逆方向に所定量移動させることで、スイッチ３０が動作する。具体的には、可動部３２がスイッチ本体３１から離れた第１位置で、スイッチ３０が電気部品に対する通電を遮断し、可動部３２が第１位置から付勢方向と逆方向に所定量移動した第２位置で、スイッチ３０が電気部品への通電を可能な状態となる。
【００２８】
装置本体１０１のスイッチ３０の鉛直方向下方には、スイッチ機構６０が配置されている。スイッチ機構６０は、移動部材４０と、支持手段としての支持部材５０とを有する。移動部材４０は、第１扉１０及び第２扉２０が閉じられた場合に、第１扉１０の押圧部１１と第２扉２０の押圧部２１に押圧されることで上方（第１方向、所定方向）に移動して、移動部材４０の上方に位置したスイッチ３０を動作させる。
【００２９】
［押圧部］
図１に示すように、第１扉１０は、矢印Ｅ１、Ｅ２方向に、後側の鉛直方向と平行なヒンジの軸を中心として回動することで、開閉動作を行う。また、第２扉２０は、矢印Ｆ１、Ｆ２方向に、下側の水平方向と平行なヒンジの軸を中心として回動することで、開閉動作を行う。したがって、第１扉１０の押圧部１１は、第１扉１０と共に矢印Ｅ１、Ｅ２方向に、第２扉２０の押圧部２１は、第２扉２０と共に矢印Ｆ１、Ｆ２方向に、それぞれ移動する。
【００３０】
具体的には、図１及び図４（Ｂ）に示すように、押圧部１１は、第１扉１０を閉じる際には、矢印Ｅ１方向（第１方向、第１回動方向）に移動し、第１扉１０を開く際には、矢印Ｅ１方向と逆方向の矢印Ｅ２方向に移動する。押圧部２１は、第２扉２０を閉じる際には、矢印Ｆ１方向（第２方向、第３回動方向）に移動し、第２扉１２を開く際には、矢印Ｆ１方向と逆方向の矢印Ｆ２方向に移動する。
【００３１】
押圧部１１は、第１扉１０に設けられ、第１扉１０が閉じられる動作に伴って矢印Ｅ１方向に移動し、図４（Ａ）に示すように、第１移動部４２を回動軸４４を中心とした矢印Ｃ方向（第２回動方向）に押圧可能である。このために押圧部１１は、矢印Ｅ１方向の先端部に、第１当接部及び第１可動部としての第１傾斜部１１ａと、第１傾斜部１１ａの矢印Ｅ１方向上流側（第１回動方向上流側）の上面に設けられた、第２当接部及び第１非可動部としての第１直線部１１ｂとを有する。第１傾斜部１１ａは、先端に向かう程下方に傾斜した傾斜面である。なお、第１傾斜部１１ａは、先端に向かう程下方に湾曲した湾曲面であっても良い。第１直線部１１ｂは、移動部材４０が移動する上下方向と略直交する方向に形成された面であり、本実施形態では、水平方向と略平行な面としている。
【００３２】
押圧部２１は、第２扉２０に設けられ、第２扉２０が閉じられる動作に伴って矢印Ｆ１方向に移動し、図４（Ａ）に示すように、第２移動部４３を回動軸４４を中心とした矢印Ｄ方向（第４回動方向）に押圧可能である。このために押圧部２１は、矢印Ｆ１方向の先端部に、第１当接部及び第２可動部としての第２傾斜部２１ａと、第２傾斜部２１ａの矢印Ｆ１方向上流側（第３回動方向上流側）の上面に設けられた、第２当接部及び第２非可動部としての第２直線部２１ｂとを有する。第２傾斜部２１ａは、第２扉２０が閉まって押圧部２１の突出方向が略水平方向となった状態で、先端に向かう程下方に傾斜した傾斜面である。なお、第２傾斜部２１ａは、先端に向かう程下方に湾曲した湾曲面であっても良い。第２直線部２１ｂは、押圧部２１が略水平方向となった状態で、移動部材４０が移動する上下方向と略直交する方向に形成された面であり、本実施形態では、水平方向と略平行な面としている。
【００３３】
［移動部材］
移動部材４０は、本体部４１と、回動軸４４と、スイッチ動作部としての突部４５とを有する。本体部４１と回動軸４４は、一体に形成されていても良いし、互いに別体に形成して、回動軸４４の上に本体部４１を回動軸４４に対して相対的に回動可能に載置するようにしても良い。
【００３４】
本体部４１は、回動軸４４を挟んで両側に設けられた第１移動部４２と第２移動部４３とを有する。回動軸４４は、装置本体１０１の左右方向と平行で且つ水平方向に配置されている。そして、この回動軸４４を跨ぐように前後方向に本体部４１が設けられ、回動軸４４に対して装置本体１０１の後側に第１移動部４２が、装置本体１０１の前側に第２移動部４３がそれぞれ配置される。このように構成される移動部材４０は、回動軸４４を中心に回動可能である。
【００３５】
第１移動部４２と第２移動部４３は、回動軸４４の中心を通る鉛直線に対して線対称になるように一体に形成されている。このため、本体部４１の前後方向中央部が、回動軸４４の中心を通る鉛直方向の仮想線上に位置する。また、第１移動部４２と第２移動部４３の上面は、それぞれ平坦面としており、互いの上面のなす角度が９０°以上となるようにしている。そして、第１移動部４２は、第１扉１０が閉じられる動作に伴って押圧部１１に押圧されることで、矢印Ｅ１方向とは異なる矢印Ｃ方向（第３方向、第２回動方向）に移動する。また、第２移動部４３は、第２扉２０が閉じられる動作に伴って押圧部２１に押されることで、矢印Ｆ１方向とは異なる矢印Ｄ方向（第４方向、第４回動方向）に移動する。
【００３６】
矢印Ｃ方向と矢印Ｄ方向は、回動軸４４を中心とする回動方向で、且つ、互いに逆方向である。即ち、矢印Ｃ方向は、図４（Ａ）の時計方向で、矢印Ｄ方向は、図４（Ａ）の反時計方向である。そして、第１移動部４２が押圧部１１に押圧され、第２移動部４３が押圧部２１に押圧されていない場合には、第１移動部４２が上方に向かう方向に回動軸４４を中心に本体部４１が回動する。一方、第２移動部４３が押圧部２１に押圧され、第１移動部４２が押圧部１１に押圧されていない場合には、第２移動部４３が上方に向かう方向に回動軸４４を中心に本体部４１が回動する。
【００３７】
第１移動部４２は、第１扉１０が閉じられる際に、押圧部１１の第１傾斜部１１ａ及び第１直線部１１ｂと当接可能な当接面４２ａが形成されている。当接面４２ａは、少なくとも押圧部１１と当接する側である第１移動部４２の左側面の下側部分の湾曲面４６ｂと、この下側部分の湾曲面４６ｂと滑らかに連続した下面４２ｂとを有する。
【００３８】
第２移動部４３は、第２扉２０が閉じられる際に、押圧部２１の第２傾斜部２１ａ及び第２直線部２１ｂと当接可能な当接面４３ａが形成されている。当接面４３ａは、少なくとも押圧部２１と当接する側である第２移動部４３の前側面の下側部分の湾曲面４９ｂと、この下側部分の湾曲面４９ｂと滑らかに連続した下面４３ｂとを有する。
【００３９】
本実施形態では、第１移動部４２及び第２移動部４３は、それぞれの略中央部から左右方向にそれぞれ突部４６、４７を突出させた形状としている。そして、左側の突部４６は、左側面の上端部乃至中間部を平坦面４６ａ、中間部乃至下端部を下方に向かう程右側に湾曲した湾曲面４６ｂとしている。左側面の中間部乃至下端部は、下方に向かう程右側に傾斜した傾斜面であっても良い。同様に、右側の突部は、右側面の上端部乃至中間部を平坦面、中間部乃至下端部を下方に向かう程左側に湾曲した湾曲面としている。右側面の中間部乃至下端部は、下方に向かう程左側に傾斜した傾斜面であっても良い。そして、突部４６、４７の左側の湾曲面４６ｂ及び右側の湾曲面を、それぞれ下面４２ｂ、４３ｂに滑らかに連続させている。
【００４０】
また、第１移動部４２の後側面４８は、上端部乃至中間部を平坦面４８ａ、中間部乃至下端部を下方に向かう程前側に湾曲した湾曲面４８ｂとしている。後側面４８の中間部乃至下端部は、下方に向かう程前側に傾斜した傾斜面であっても良い。同様に、第２移動部４３の前側面４９は、上端部乃至中間部を平坦面４９ａ、中間部乃至下端部を下方に向かう程後側に湾曲した湾曲面４９ｂとしている。前側面の中間部乃至下端部は、下方に向かう程後側に傾斜した傾斜面であっても良い。そして、後側面４８の湾曲面４８ｂ及び前側面４９の湾曲面４９ｂを、それぞれ下面４２ｂ、４３ｂに滑らかに連続させている。
【００４１】
なお、第１移動部４２及び第２移動部４３をこのように対称形状としたのは、移動部材４０の取付時に、第１移動部４２と第２移動部４３との位置が入れ替わっても良いようにするためである。したがって、第１移動部４２と第２移動部４３の配置が予め決まっている場合には、第１移動部４２と第２移動部４３を上述のように対称となるような形状とせず、第１扉１０及び第２扉２０が閉じられる際に、少なくとも押圧部１１、２１がそれぞれ当接する部分に、上述のような形状を有する当接面４２ａ、４３ａが存在すれば良い。また、第１移動部４２及び第２移動部４３は、線対称となる形状とする場合でも、上述のような形状に限らず、例えば、それぞれの下側部分を半球状など、球状の一部が欠けているような部分球状としても良い。
【００４２】
スイッチ動作部としての突部４５は、本体部４１の略中央部から突出するように設けられている。本実施形態では、突部４５は、第１移動部４２の後端の上面と第２移動部４３の前端の上面との高さが同じとなる本体部４１の水平位置（図４（Ａ）の位置）において、回動軸４４の中心を通る鉛直方向の仮想線上で本体部４１から上方に突出するように形成されている。そして、詳しくは後述するように、突部４５は、移動部材４０が上方に移動した場合にスイッチ３０を動作させ、移動部材４０が上方に移動せずに回動した場合にはスイッチ３０を動作させない。
【００４３】
［支持部材］
このように構成される移動部材４０は、支持部材５０に、回動軸４４を中心に回動可能で、且つ、上方（第１方向、所定方向）に移動可能に支持されている。このために支持部材５０は、移動部材４０の回動軸４４が通過可能な開口を前後の両方に、且つ、本体部４１が通過可能な開口を左右の両方に形成している。
【００４４】
具体的には、支持部材５０は、上方から見た場合に略矩形状に形成された支持本体５１と、支持本体５１の４隅からそれぞれ上方に突出する４本の突出部５２とを有する。そして、左側の２本の突出部５２の互いに対向する面を、それぞれ回動軸４４を上下方向に案内する案内面５３とし、支持本体５１の左側の上面を、前後の案内面５３と滑らかに連続させるように湾曲し、回動軸４４を支持可能な支持面５４としている。同様に、右側の２本の突出部５２の互いに対向する面を、それぞれ回動軸４４を上下方向に案内する案内面５３とし、支持本体５１の右側の上面を、前後の案内面５３と滑らかに連続させるように湾曲し、回動軸４４を支持可能な支持面５４としている。
【００４５】
支持部材５０の左右両側にそれぞれ形成され、前後方向に対向する一対の案内面５３は、互いに平行で、且つ、上下方向に沿って形成された面である。一対の案内面５３の間隔は、回動軸４４の外径よりも僅かに大きくして、一対の案内面５３により回動軸４４を上下方向に円滑に案内できるようにしている。
【００４６】
また、支持面５４は、回動軸４４の外径とほぼ同じ、或いは、この外径よりも僅かに大きい直径を有する円筒面であり、一対の案内面５３と滑らかに連続している。なお、支持面５４は、円筒面に限らず、回動軸４４の外周面と複数個所で接触するように、複数の曲率を有する曲面を滑らかに連続させた湾曲面や複数の平坦面で構成するようにしても良い。要は、回動軸４４を回動自在に支持し、且つ、上下方向への移動を阻害しない形状であれば良い。また、左右両側のそれぞれの支持面５４は、互いに独立していても良いし、左右方向に連続していても良い。
【００４７】
また、４本の突出部５２のうち、後側の２本の突出部５２の互いに対向する面の間を、本体部４１の第１移動部４２側が通過可能なスリット５５としている。同様に、前側の２本の突出部５２の互いに対向する面の間を、本体部４１の第２移動部４３側が通過可能なスリット５５としている。スリット５５の間隔は、本体部４１のそれぞれの部分が接触せずに通過可能な間隔としている。また、スリット５５の下端位置は、上述のように本体部４１が回動軸４４を中心に回動した場合に、本体部４１とスリット５５の下端が干渉しない位置としている。
【００４８】
移動部材４０は、支持部材５０の上方から回動軸４４が一対の案内面５３同士の間に、本体部４１がスリット５５の間に、それぞれ進入させつつ下方に移動させ、支持面５４に回動軸４４を載置することで、支持部材５０に配置される。この状態で、移動部材４０が、支持部材５０に回動軸４４を中心に回動可能に支持される。また、移動部材４０が、支持部材５０に対して上方に移動可能で、且つ、移動部材４０が上方に移動した位置から、再度、下方に自重により移動可能である。
【００４９】
即ち、支持部材５０は、移動部材４０がスイッチ３０を動作させる位置から、移動部材４０の自重により、第１扉１０及び第２扉２０のそれぞれの押圧部１１、２１が第１移動部４２及び第２移動部４３を押圧可能な位置に、移動部材４０を移動可能に支持する。なお、回動軸４４が支持面５４に支持されている位置では、本体部４１の上側に設けられた突部４５は、スイッチ３０の可動部３２に接触しない。
【００５０】
［第１扉及び第２扉の開閉に伴う移動部材の移動］
まず、図４（Ａ）、（Ｂ）の状態は、第１扉１０及び第２扉２０が開いており、移動部材４０は、自重により支持部材５０の支持面５４に載置されている状態である。このとき、移動部材４０の突部４５は、スイッチ３０の可動部３２から下方に離れた位置に位置し、スイッチ３０を動作させない。
【００５１】
図５（Ａ）、（Ｂ）に示すように、第２扉２０を開いた状態で第１扉１０を閉めると、押圧部１１が第１移動部４２の当接面４２ａに当接して、第１移動部４２が上方に移動するように移動部材４０が回動軸４４を中心として矢印Ｃ方向に回動する。具体的には、押圧部１１の第１傾斜部１１ａが第１移動部４２の左側の湾曲面４６ｂに当接しつつ、更に矢印Ｅ１方向に移動することで、第１移動部４２が上方に押し上げられる。即ち、第１傾斜部１１ａは、第１移動部４２の湾曲面４６ｂと当接して、押圧部１１が矢印Ｅ１方向に移動するほど第１移動部４２を矢印Ｃ方向に移動させる。
【００５２】
この際、第２移動部４３は押圧部２１に押圧されていないので、本体部４１が回動軸４４を中心として矢印Ｃ方向に回動する。即ち、第１傾斜部１１ａは、押圧部１１が矢印Ｃ方向に移動した場合に移動部材４０の第１移動部４２と当接して、移動部材４０を所定位置に移動させる。
【００５３】
そして、押圧部１１が更に矢印Ｅ１方向に移動すると、押圧部１１の第１直線部１１ｂが第１移動部４２の下方に入り込んで下面４２ｂに当接し、第１移動部４２がそれ以上、矢印Ｃ方向に回動しなくなる。即ち、第１直線部１１ｂは、第１移動部４２の下面４２ｂと当接して、押圧部１１が矢印Ｅ１方向に移動しても第１移動部４２を移動させない。
【００５４】
この結果、移動部材４０が図５（Ａ）、（Ｂ）に示したような位置で回動が停止し、この状態で保持される。即ち、第１直線部１１ｂは、押圧部１１が矢印Ｃ方向に所定量以上移動した場合、即ち、第１直線部１１ｂが第１移動部４２の下方に入り込んだ場合に、移動部材４０をそれ以上移動させずに、且つ、移動部材４０を所定位置に維持させる。また、この際、移動部材４０の突部４５は、スイッチ３０の可動部３２に接触しない第１位置に位置し、スイッチ３０は動作しない。
【００５５】
一方、図６（Ａ）、（Ｂ）に示すように、第１扉１０を開いた状態で第２扉２０を閉めると、押圧部２１が第２移動部４３の当接面４３ａに当接して、第２移動部４３が上方に移動するように移動部材４０が回動軸４４を中心として矢印Ｄ方向に回動する。具体的には、押圧部２１の第２傾斜部２１ａが第２移動部４３の前側の湾曲面４９ｂに当接しつつ、更に矢印Ｆ１方向に移動することで、第２移動部４３が上方に押し上げられる。即ち、第２傾斜部２１ａは、第２移動部４３の湾曲面４９ｂと当接して、押圧部２１が矢印Ｆ１方向に移動するほど第２移動部４３を矢印Ｄ方向に移動させる。
【００５６】
この際、第１移動部４２は押圧部１１に押圧されていないので、本体部４１が回動軸４４を中心として矢印Ｄ方向に回動する。即ち、第１当接部としての第２傾斜部２１ａは、押圧部２１が矢印Ｄ方向に移動した場合に移動部材４０の第２移動部４３と当接して、移動部材４０を所定位置に移動させる。
【００５７】
そして、押圧部２１が更に矢印Ｆ１方向に移動すると、押圧部２１の第２直線部２１ｂが第２移動部４３の下方に入り込んで下面４３ｂに当接し、第２移動部４３がそれ以上、矢印Ｄ方向に回動しなくなる。即ち、第２直線部２１ｂは、第２移動部４３の下面４３ｂと当接して、押圧部２１が矢印Ｆ１方向に移動しても第２移動部４３を移動させない。
【００５８】
この結果、移動部材４０が図６（Ａ）、（Ｂ）に示したような位置で回動が停止し、この状態で保持される。即ち、第２直線部２１ｂは、押圧部２１が矢印Ｄ方向に所定量以上移動した場合、即ち、第２直線部２１ｂが第２移動部４３の下方に入り込んだ場合に、移動部材４０をそれ以上移動させずに、且つ、移動部材４０を所定位置に維持させる。また、この際、移動部材４０の突部４５は、スイッチ３０の可動部３２に接触しない第１位置に位置し、スイッチ３０は動作しない。
【００５９】
次に、図７（Ａ）、（Ｂ）に示すように、第１扉１０及び第２扉２０を閉めると、押圧部１１が第１移動部４２の当接面４２ａに当接し、更に、押圧部２１が第２移動部４３の当接面４３ａに当接する。この結果、移動部材４０が上方に押し上げられる。即ち、移動部材４０は、第１移動部４２が押圧部１１に押圧されると共に第２移動部４３が第２押圧部２１に押圧された場合に、移動部材４０が上方に移動するように支持部材５０に支持されている。
【００６０】
具体的には、図５（Ａ）、（Ｂ）に示したように、第１移動部４２が矢印Ｃ方向に移動した状態で、更に、第２移動部４３が矢印Ｄ方向に移動した場合、移動部材４０が上方に移動する。即ち、第１移動部４２が押圧部１１の第１直線部１１ｂの押し上げられた状態で、第２扉２０が閉じられて押圧部２１の第２傾斜部２１ａが第２移動部４３の当接面４３ａに当接すると、第１移動部４２が図５（Ａ）、（Ｂ）の位置のまま、第２移動部４３が押し上げられる。
【００６１】
すると、回動軸４４が案内面５３に案内されつつ上昇し、押圧部２１の第２直線部２１ｂが第２移動部４３の下方に入り込み、図７（Ａ）、（Ｂ）に示すように、移動部材４０全体が上方に押し上げられた状態となる。この状態では、移動部材４０の突部４５がスイッチ３０の可動部３２に接触する第２位置に位置し、可動部３２を上方に移動して所定角度以上回動させ、スイッチ３０を動作させる。
【００６２】
同様に、図６（Ａ）、（Ｂ）に示したように、第２移動部４３が矢印Ｄ方向に移動した状態で、更に、第１移動部４２が矢印Ｃ方向に移動した場合、移動部材４０が上方に移動する。即ち、第２移動部４３が押圧部２１の第２直線部２１ｂに押し上げられた状態で、第１扉１０が閉じられて押圧部１１の第１傾斜部１１ａが第１移動部４２の当接面４２ａに当接すると、第２移動部４３が図６（Ａ）、（Ｂ）の位置のまま、第１移動部４２が押し上げられる。
【００６３】
すると、回動軸４４が案内面５３に案内されつつ上昇し、押圧部１１の第１直線部１１ｂが第１移動部４２の下方に入り込み、図７（Ａ）、（Ｂ）に示すように、移動部材４０全体が上方に押し上げられた状態となる。この状態でも、移動部材４０の突部４５がスイッチ３０の可動部３２に接触する第２位置に位置し、可動部３２を上方に所定角度以上回動させ、スイッチ３０を動作させる。
【００６４】
なお、図７（Ａ）、（Ｂ）の状態から、第１扉１０と第２扉２０の何れかの扉が開かれると、自重により第１移動部４２又は第２移動部４３が回動軸４４と共に下方に移動し、図５（Ａ）、（Ｂ）又は図６（Ａ）、（Ｂ）の状態となる。即ち、回動軸４４が案内面５３に案内されつつ下降し、第１移動部４２又は第２移動部４３が下方に回動する。そして、移動部材４０の突部４５がスイッチ３０の可動部３２から離れ、スイッチ３０が非作動状態となる。
【００６５】
また、両方の扉が開かれた場合には、図４（Ａ）、（Ｂ）の状態となり、やはり、移動部材４０の突部４５がスイッチ３０の可動部３２から離れ、スイッチ３０が非作動状態となる。一方、図４（Ａ）、（Ｂ）の状態から両方の扉が閉じられると、図７（Ａ）、（Ｂ）の状態となり、移動部材４０の突部４５がスイッチ３０の可動部３２に接触し、可動部３２を上方に移動して所定角度以上回動させ、スイッチ３０を動作させる。
【００６６】
このような本実施形態の場合、移動部材４０は、スイッチ３０を動作させた位置（第２位置）で、第１扉１０と第２扉２０の少なくとも何れかの扉の押圧部１１又は２１が、更に扉が閉じられる矢印Ｅ１方向又は矢印Ｆ１方向に移動しても、上方に更に移動せずに押圧部１１又は２１の矢印Ｅ１方向又は矢印Ｆ１方向への移動を許容する。
【００６７】
具体的には、図７（Ａ）、（Ｂ）の状態、即ち、第１扉１０及び第２扉２０が閉じられた状態で、第１扉１０を更に閉める方向（Ｅ１方向）に押圧したとする。この際、第１移動部４２の下面４２ｂの最も押圧部１１方向に突出している部分４２ｂ１に押圧部１１の第１直線部１１ｂが当接している状態である。このため、第１扉１０を更に閉める方向（Ｅ１方向）に押圧しても、第１直線部１１ｂが下面４２ｂに摺擦しつつ更に移動し、押圧部１１が更に移動することが可能となる。このとき、第１移動部４２の下面４２ｂの最も突出している部分４２ｂ１と第１直線部１１ｂとが摺擦しているだけであるため、押圧部１１が更に移動しても第１移動部４２は上方に移動しない。このため、第１扉１０を過度に押し込んでも、移動部材４０が上方に移動せず、スイッチ３０の可動部３２が更に押されることがなく、スイッチ３０が破損することを抑制できる。
【００６８】
同様に、図７（Ａ）、（Ｂ）の状態で、第２扉２０を更に閉める方向（Ｆ１方向）に押圧したとする。この際、第２移動部４３の下面４３ｂの最も押圧部２１方向に突出している部分４３ｂ１に押圧部２１の第２直線部２１ｂが当接している状態である。このため、第２扉２０を更に閉める方向（Ｆ１方向）に押圧しても、第２直線部２１ｂが下面４３ｂに摺擦しつつ更に移動し、押圧部２１が更に移動することが可能となる。このとき、第２移動部４３の下面４３ｂの最も突出している部分４３ｂ１と第２直線部２１ｂとが摺擦しているだけであるため、押圧部２１が更に移動しても第２移動部４３は上方に移動しない。このため、第２扉２０を過度に押し込んでも、移動部材４０が上方に移動せず、スイッチ３０の可動部３２が更に押されることがなく、スイッチ３０が破損することを抑制できる。
【００６９】
なお、図５（Ａ）、（Ｂ）又は図６（Ａ）、（Ｂ）の状態、即ち、第１扉１０又は第２扉２０が閉じられた状態で、閉じられている扉を更に押圧しても、上述と同様に、第１移動部４２又は第２移動部４３が更に上方に移動することはない。
【００７０】
＜第２の実施形態＞
第２の実施形態について、図８乃至１１を用いて説明する。上述の第１の実施形態では、第１移動部４２と第２移動部４３とを一体に形成した例について説明した。これに対して本実施形態では、第１移動部７２と第２移動部７３とを別体としている。その他の構成及び作用は、上述の第１の実施形態と同様であるため、同一の構成には同一の符号を付して説明を省略又は簡略にし、以下、第１の実施形態と異なる部分を中心に説明する。
【００７１】
本実施形態のスイッチ機構６０Ａは、移動部材７０と、支持手段としての支持部材８０とを有する。移動部材７０は、本体部７１と、回動軸７４と、スイッチ動作部としての突部７５とを有する。本体部７１は、回動軸７４を挟んで両側に設けられた第１移動部７２と第２移動部７３とを有する。回動軸７４は、装置本体１０１（図１参照）の左右方向と平行で且つ水平方向に配置されている。そして、この回動軸７４を跨ぐように前後方向に本体部７１が設けられ、回動軸７４に対して装置本体１０１の後側に第１移動部７２が、装置本体１０１の前側に第２移動部７３がそれぞれ配置される。このように構成される移動部材７０は、回動軸７４を中心に回動可能である。
【００７２】
第１移動部７２と第２移動部７３は、互いに別体で、それぞれ回動軸７４を中心に回動可能に支持されている。そして、第１移動部７２は、第１扉１０が閉じられる動作に伴って押圧部１１に押圧されることで、矢印Ｅ１方向とは異なる矢印Ｃ方向（第３方向、第２回動方向）に移動する。また、第２移動部７３は、第２扉２０が閉じられる動作に伴って押圧部２１に押されることで、矢印Ｆ１方向とは異なる矢印Ｄ方向（第４方向、第４回動方向）に移動する。
【００７３】
また、図８（Ｂ）などに示すように、第１移動部７２には、第１移動部７２の第２移動部７３に対する矢印Ｃ方向への移動量を規制する第１規制部としての第１規制面７２ｃが形成されている。また、図１０（Ａ）などに示すように、第２移動部７３には、第２移動部７３の第１移動部７２に対する矢印Ｄ方向への移動量を規制する第２規制部としての第２規制面７３ｃが形成されている。
【００７４】
即ち、第１移動部７２と第２移動部７３とは、回動軸７４に対して所定の移動量、それぞれ相対回転可能である。具体的には、第１移動部７２が第２移動部７３に対して所定の移動量、矢印Ｃ方向に回動した場合に、第１規制面７２ｃが第２移動部７３に形成された突き当て部７３ｂの先端面に当接する。この際、第２規制面７３ｃが第１移動部７２に形成された突き当て部７２ｂの先端面に当接する。これにより、第１移動部７２が第２移動部７３に対して、それ以上、矢印Ｃ方向に回動できなくしている。第２移動部７３が第１移動部７２に対して所定の移動量、矢印Ｄ方向に回動した場合も同様である。
【００７５】
スイッチ動作部としての突部７５は、第１移動部７２と第２移動部７３との何れかに設けられており、本実施形態では、第１移動部７２の上面から上方に突出するように設けられている。また、突部７５は、後述する図１１（Ａ）、（Ｂ）に示すように、第１移動部７２及び第２移動部７３が、それぞれ押圧部１１、２１に押圧されている状態において、回動軸７４の中心を通る鉛直方向の仮想線上で本体部７１から上方に突出するように形成されている。
【００７６】
なお、第１移動部７２と第２移動部７３とは、突部７５が形成されている以外は同じ形状としている。これにより、移動部材７０の取付時に、第１移動部７２と第２移動部７３との位置が入れ替わっても良いようにしている。また、第１移動部７２及び第２移動部７３は、第１の実施形態の第１移動部４２及び第２移動部４３と同様に、それぞれの略中央部から左右方向にそれぞれ突部４６、４７を突出させた形状としている。
【００７７】
また、第１移動部７２は、第１扉１０が閉じられる際に、押圧部１１の第１傾斜部１１ａ及び第１直線部１１ｂと当接可能な当接面７２ａが形成されている。なお、第１移動部７２には、第１の実施形態の第１移動部４２と同様に、平坦面４６ａ、湾曲面４６ｂ、後側面４８、下面４２ｂが形成されており、後側面４８は、平坦面４８ａ、湾曲面４８ｂを有する。
【００７８】
同様に、第２移動部７３は、第２扉２０が閉じられる際に、押圧部２１の第２傾斜部２１ａ及び第２直線部２１ｂと当接可能な当接面７３ａが形成されている。なお、第２移動部７３には、第１の実施形態の第２移動部４３と同様に、平坦面４６ａ、湾曲面４６ｂ、前側面４９、下面４３ｂが形成されており、前側面４９は、平坦面４９ａ、湾曲面４９ｂを有する。
【００７９】
支持手段としての支持部材８０は、移動部材７０を回動軸７４を中心に回動可能で、且つ、上方（第１方向、所定方向）に移動可能に支持する。このような支持部材８０は、第１の実施形態の支持部材５０と同様に、上方から見た場合に略矩形状に形成された支持本体８１と、支持本体８１の４隅からそれぞれ上方に突出する４本の突出部８２とを有する。
【００８０】
そして、左側の２本の突出部８２の互いに対向する面を、それぞれ回動軸７４を上下方向に案内する案内面８３とし、支持本体８１の左側の上面を、前後の案内面８３と滑らかに連続させるように湾曲し、回動軸７４を支持可能な支持面８４としている。同様に、右側の２本の突出部８２の互いに対向する面を、それぞれ回動軸７４を上下方向に案内する案内面８３とし、支持本体８１の右側の上面を、前後の案内面８３と滑らかに連続させるように湾曲し、回動軸７４を支持可能な支持面８４としている。
【００８１】
また、４本の突出部８２のうち、後側の２本の突出部８２の互いに対向する面の間を、本体部７１の第１移動部７２側が通過可能なスリット８５としている。同様に、前側の２本の突出部８２の互いに対向する面の間を、本体部７１の第２移動部７３側が通過可能なスリット８５としている。スリット８５の間隔は、本体部７１のそれぞれの部分が接触せずに通過可能な間隔としている。突出部８２、案内面８３、支持面８４、スリット８５は、それぞれ第１の実施形態の突出部５２、案内面５３、支持面５４、スリット５５と同様である。
【００８２】
本実施形態の場合、支持本体８１のスリット５５の下端位置に、それぞれ回動規制部５５ａを形成している。第１移動部７２側の回動規制部５５ａは、第１扉１０が開いて押圧部１１が第１移動部７２と当接していない状態では、第１移動部７２の一部と当接し、第１移動部７２を第１所定位置に保持している。即ち、第１移動部７２が第１所定位置から下方に移動することを規制している。第１所定位置では、第１扉１０を閉める動作に伴って、押圧部１１の第１傾斜部１１ａが第１移動部７２の湾曲面４６ｂに当接可能である。
【００８３】
同様に、第２移動部７３側の回動規制部５５ａは、第２扉２０が開いて押圧部２１が第２移動部７３と当接していない状態では、第２移動部７３の一部と当接し、第２移動部７３を第２所定位置に保持している。即ち、第２移動部７３が第２所定位置から下方に移動することを規制している。第２所定位置では、第２扉２０を閉める動作に伴って、押圧部２１の第２傾斜部２１ａが第２移動部７３の湾曲面４９ｂに当接可能である。
【００８４】
このような本実施形態の場合、図８（Ａ）、（Ｂ）の状態は、第１扉１０及び第２扉２０が開いており、移動部材７０は、自重により支持部材８０の支持面８４に載置されている状態である。この状態では、第１移動部７２及び第２移動部７３が回動規制部５５ａに載置されて、それぞれ第１所定位置及び第２所定位置に位置している。また、この状態では、第１規制面７２ｃと突き当て部７３ｂ、第２規制面７３ｃと突き当て部７２ｂは、それぞれ当接しておらず、第１移動部７２の突き当て部７２ｂを除く上面と第２移動部７３の突き当て部７３ｂを除く上面とが、ほぼ同一平面上に位置する。更に、これらの上面は、略水平方向と平行となっている。
【００８５】
移動部材７０の突部７５は、第１移動部７２の突き当て部７２ｂの上面に形成されており、突き当て部７２ｂの上面の傾斜に沿って、鉛直方向から傾斜している。また、この状態で、突部７５は、スイッチ３０の可動部３２から下方に離れた位置に位置し、スイッチ３０を動作させない。
【００８６】
図９（Ａ）、（Ｂ）に示すように、第２扉２０を開いた状態で第１扉１０を閉めると、押圧部１１が第１移動部７２の当接面７２ａに当接して、第１移動部７２が上方に移動するように回動軸７４を中心として矢印Ｃ方向に回動する。具体的には、押圧部１１の第１傾斜部１１ａが第１移動部７２の左側の湾曲面４６ｂに当接しつつ、更に矢印Ｅ１方向に移動することで、第１移動部７２が上方に押し上げられる。
【００８７】
そして、押圧部１１が更に矢印Ｅ１方向に移動すると、押圧部１１の第１直線部１１ｂが第１移動部７２の下方に入り込んで下面４２ｂに当接し、第１移動部７２がそれ以上、矢印Ｃ方向に回動しなくなる。このとき、第１規制面７２ｃと突き当て部７３ｂ、第２規制面７３ｃと突き当て部７２ｂは、それぞれ当接する。また、第１移動部７２の突き当て部７２ｂを除く上面と第２移動部７３の突き当て部７３ｂを除く上面のなす角度が、９０°以上、且つ、１８０°未満となる。
【００８８】
この結果、移動部材７０が図９（Ａ）、（Ｂ）に示したような位置で回動が停止し、この状態で保持される。また、この際、移動部材４０の突部７５は、スイッチ３０の可動部３２に接触しない第１位置に位置し、スイッチ３０は動作しない。
【００８９】
一方、図１０（Ａ）、（Ｂ）に示すように、第１扉１０を開いた状態で第２扉２０を閉めると、押圧部２１が第２移動部７３の当接面７３ａに当接して、第２移動部７３が上方に移動するように回動軸７４を中心として矢印Ｄ方向に回動する。具体的には、押圧部２１の第２傾斜部２１ａが第２移動部７３の前側の湾曲面４９ｂに当接しつつ、更に矢印Ｆ１方向に移動することで、第２移動部７３が上方に押し上げられる。
【００９０】
そして、押圧部２１が更に矢印Ｆ１方向に移動すると、押圧部２１の第２直線部２１ｂが第２移動部７３の下方に入り込んで下面４３ｂに当接し、第２移動部７３がそれ以上、矢印Ｄ方向に回動しなくなる。このとき、第１規制面７２ｃと突き当て部７３ｂ、第２規制面７３ｃと突き当て部７２ｂは、それぞれ当接する。
【００９１】
この結果、移動部材７０が図１０（Ａ）、（Ｂ）に示したような位置で回動が停止し、この状態で保持される。また、この際、移動部材７０の突部７５は、スイッチ３０の可動部３２に接触しない第１位置に位置し、スイッチ３０は動作しない。
【００９２】
次に、図１１（Ａ）、（Ｂ）に示すように、第１扉１０及び第２扉２０を閉めると、押圧部１１が第１移動部７２の当接面７２ａに当接し、更に、押圧部２１が第２移動部７３の当接面７３ａに当接する。この結果、移動部材７０が上方に押し上げられる。具体的には、図９（Ａ）、（Ｂ）に示したように、第１移動部７２が矢印Ｃ方向に移動した状態で、更に、第２移動部７３が矢印Ｄ方向に移動した場合、第１規制面７２ｃと突き当て部７３ｂ、第２規制面７３ｃと突き当て部７２ｂがそれぞれ当接しているため、移動部材７０が上方に移動する。
【００９３】
即ち、第１移動部７２が押圧部１１の第１直線部１１ｂの押し上げられた状態で、第２扉２０が閉じられて押圧部２１の第２傾斜部２１ａが第２移動部７３の当接面７３ａに当接すると、第１移動部７２が図９（Ａ）、（Ｂ）の位置のまま、第２移動部７３が押し上げられる。すると、回動軸７４が案内面８３に案内されつつ上昇し、押圧部２１の第２直線部２１ｂが第２移動部７３の下方に入り込み、図１１（Ａ）、（Ｂ）に示すように、移動部材７０全体が上方に押し上げられた状態となる。この状態では、移動部材７０の突部７５がスイッチ３０の可動部３２に接触する第２位置に位置し、可動部３２を上方に所定角度以上回動させ、スイッチ３０を動作させる。
【００９４】
同様に、図１０（Ａ）、（Ｂ）に示したように、第２移動部７３が矢印Ｄ方向に移動した状態で、更に、第１移動部７２が矢印Ｃ方向に移動した場合、第１規制面７２ｃと突き当て部７３ｂ、第２規制面７３ｃと突き当て部７２ｂがそれぞれ当接しているため、移動部材７０が上方に移動する。
【００９５】
即ち、第２移動部７３が押圧部２１の第２直線部２１ｂの押し上げられた状態で、第１扉１０が閉じられて押圧部１１の第１傾斜部１１ａが第１移動部７２の当接面７２ａに当接すると、第２移動部７３が図１０（Ａ）、（Ｂ）の位置のまま、第１移動部７２が押し上げられる。すると、回動軸７４が案内面８３に案内されつつ上昇し、押圧部１１の第１直線部１１ｂが第１移動部７２の下方に入り込み、図１１（Ａ）、（Ｂ）に示すように、移動部材７０全体が上方に押し上げられた状態となる。この状態でも、移動部材７０の突部７５がスイッチ３０の可動部３２に接触する第２位置に位置し、可動部３２を上方に所定角度以上回動させ、スイッチ３０を動作させる。
【００９６】
なお、図１１（Ａ）、（Ｂ）の状態から、第１扉１０と第２扉２０の何れかの扉が開かれると、自重により第１移動部７２又は第２移動部７３が回動軸７４と共に下方に移動し、図９（Ａ）、（Ｂ）又は図１０（Ａ）、（Ｂ）の状態となる。即ち、回動軸７４が案内面８３に案内されつつ下降し、第１移動部７２又は第２移動部７３が下方に回動する。そして、移動部材７０の突部７５がスイッチ３０の可動部３２から離れ、スイッチ３０が非作動状態となる。
【００９７】
また、両方の扉が開かれた場合には、図８（Ａ）、（Ｂ）の状態となり、やはり、移動部材７０の突部７５がスイッチ３０の可動部３２から離れ、スイッチ３０が非作動状態となる。一方、図８（Ａ）、（Ｂ）の状態から両方の扉が閉じられると、図１１（Ａ）、（Ｂ）の状態となり、移動部材７０の突部７５がスイッチ３０の可動部３２に接触し、可動部３２を上方に所定角度以上回動させ、スイッチ３０を動作させる。
【００９８】
このような本実施形態の場合も、移動部材７０は、スイッチ３０を動作させた位置（第２位置）で、第１扉１０と第２扉２０の少なくとも何れかの扉の押圧部１１又は２１が、更に扉が閉じられる矢印Ｅ１方向又は矢印Ｆ１方向に移動しても、上方に更に移動せずに押圧部１１又は２１の矢印Ｅ１方向又は矢印Ｆ１方向への移動を許容する。このため、第１扉１０又は第２扉２０を過度に押し込んでも、移動部材７０が上方に移動せず、スイッチ３０の可動部３２が更に押されることがなく、スイッチ３０が破損することを抑制できる。
【００９９】
＜他の実施形態＞
上述の実施形態では、スイッチが移動部材の上方に位置し、移動部材が上方に移動することでスイッチを動作させたが、スイッチの移動部材に対する位置は、他の位置であっても良い。例えば、スイッチが移動部材の下方に位置する場合、移動部材を上方に付勢するばねなどの付勢手段を設け、第１扉と第２扉の少なくとも何れかが開いている場合には、移動部材を付勢手段により上方に付勢して、スイッチを動作させないようにする。そして、両方の扉が閉まっている状態では、移動部材を付勢手段の付勢力に抗してスイッチを動作させるように移動させても良い。
【０１００】
また、スイッチが移動部材の真上ではなく、斜め上方に位置させても良い。この場合、移動部材を付勢する付勢手段を設けずに、自重により移動部材をスイッチから離れる方向に移動させるようにしても良い。
【０１０１】
また、第１扉及び第２扉に設ける押圧部の形状や移動部材の形状は、移動部材とスイッチの相対位置、及び、スイッチの移動方向或いは扉の回動方向に応じて適宜、設定可能である。要は、第１扉及び第２扉を閉じた状態で、更に、第１扉と第２扉との少なくとも一方を過度に押し込んでも、移動部材がスイッチ側に移動しないように、押圧部及び移動部材の形状を設定すれば良い。
【０１０２】
更に、第１扉及び第２扉は、上述の実施形態のように、装置本体に対して回動する構造以外に、例えば、スライドする構造としても良い。
【符号の説明】
【０１０３】
１０・・・第１扉（第１カバー部材）／１１・・・押圧部（第１押圧部）／１１ａ・・・第１傾斜部（第１当接部、第１可動部）／１１ｂ・・・直線部（第２当接部、第１非可動部）／２０・・・第２扉（第２カバー部材）／２１・・・押圧部（第２押圧部）／２１ａ・・・第２傾斜部（第１当接部、第２可動部）／２１ｂ・・・第２直線部（第２当接部、第２非可動部）／３０・・・スイッチ／４０、７０・・・移動部材／４１、７１・・・本体部／４２、７２・・・第１移動部／４３、７３・・・第２移動部／４４、７４・・・回動軸／４５、７５・・・突部（スイッチ動作部）／５０、８０・・・支持部材（支持手段）／６０、６０Ａ・・・スイッチ機構／７２ｃ・・・第１規制面（第１規制部）／７３ｃ・・・第２規制面（第２規制部）／１００・・・画像形成装置／１０１・・・装置本体／１５０・・・画像形成部
【図１】
2019016566.tif 000003
【図２】
2019016566.tif 000004
【図３】
2019016566.tif 000005
【図４】
2019016566.tif 000006
【図５】
2019016566.tif 000007
【図６】
2019016566.tif 000008
【図７】
2019016566.tif 000009
【図８】
2019016566.tif 000010
【図９】
2019016566.tif 000011
【図１０】
2019016566.tif 000012
【図１１】
2019016566.tif 000013